【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
コンピュータにより実現される端末に、
ユーザのＴｏＤｏリストに含まれる各タスクに対し、前記タスクと関連する場所の位置情報と時間情報とを取得する取得段階、
前記端末の現在地と前記位置情報との比較結果、および現在時刻と前記時間情報との比較結果に基づいて前記タスクの実行可能性を判断する判断段階、および
前記タスクの実行可能性に応じて前記タスクに対する通知を提供する提供段階
を実行させる、コンピュータプログラム。
【請求項２】
前記取得段階は、
前記タスクとして記録された文章に基づき、前記タスクと関連する場所を特定する段階、
前記端末の現在地を基準に、前記特定された場所に対応する位置情報を取得する段階、および
前記特定された場所の営業時間、休憩時間、および混雑時間のうちの少なくとも１つを含む時間情報を取得する段階
を含む、請求項１に記載のコンピュータプログラム。
【請求項３】
前記判断段階は、
前記現在地が前記タスクと関連する場所から所定の半径以内である場合、前記現在時刻と前記時間情報との比較結果に応じて前記タスクの実行可能性を判断する、
請求項１又は２に記載のコンピュータプログラム。
【請求項４】
前記取得段階は、
前記タスクと関連する場所に対し、事前に定められた営業時間を取得する段階
を含み、
前記判断段階は、
前記現在地が前記タスクと関連する場所から所定の半径以内である場合、前記現在時刻が前記営業時間に該当すれば前記タスクの実行可能性があると判断し、前記現在時刻が前記営業時間に該当しなければ前記タスクの実行可能性がないと判断する、
請求項１に記載のコンピュータプログラム。
【請求項５】
前記取得段階は、
前記タスクと関連する場所に対し、事前に定められた休憩時間と混雑時間のうちの少なくとも一方を含む無効時間を取得する段階
を含み、
前記判断段階は、
前記現在地が前記タスクと関連する場所から所定の半径以内である場合、前記現在時刻が前記無効時間に該当しなければ前記タスクの実行可能性があると判断し、前記現在時刻が前記無効時間に該当すれば前記タスクの実行可能性がないと判断する、
請求項１に記載のコンピュータプログラム。
【請求項６】
前記ユーザと関連するビックデータから学習したユーザ行動パターンに関する情報を取得する段階
をさらに含み、
前記判断段階は、
前記現在地が前記タスクと関連する場所から所定の半径以内である場合、前記現在時刻と前記時間情報との比較結果と共に、前記ユーザ行動パターンに関する情報を考慮して前記タスクの実行可能性を判断する、
請求項１に記載のコンピュータプログラム。
【請求項７】
前記ユーザのスケジュール情報と、前記現在地または前記現在時刻を基準とした天気情報または社会的イシューと、前記ユーザの移動速度とのうちの少なくとも１つの追加情報を取得する段階
をさらに含み、
前記判断段階は、
前記現在地が前記タスクと関連する場所から所定の半径以内である場合、前記現在時刻と前記時間情報との比較結果と共に、前記追加情報を考慮して前記タスクの実行可能性を判断する、
請求項１に記載のコンピュータプログラム。
【請求項８】
前記提供段階は、
前記タスクの実行可能性があると判断された場合には前記タスクに対する通知を出力し、前記タスクの実行可能性がないと判断された場合には前記タスクに対する通知をスキップする、
請求項１乃至７のいずれか一項に記載のコンピュータプログラム。
【請求項９】
前記提供段階は、
前記タスクの実行可能性があると判断された場合の通知と、前記タスクの実行可能性がないと判断された場合の通知とを区分して出力する、
請求項１乃至７のいずれか一項に記載のコンピュータプログラム。
【請求項１０】
前記提供段階は、
前記タスクに対する通知と共に、前記場所と関連する広告、検索結果、特典情報、地図のうちの少なくとも１つが含まれるコンテンツを提供する、
請求項１乃至９のいずれか一項に記載のコンピュータプログラム。
【請求項１１】
コンピュータにより実現される端末によって実行されるＴｏＤｏ通知方法であって、
ユーザのＴｏＤｏリストに含まれる各タスクに対し、前記タスクと関連する場所の位置情報と時間情報を取得する段階、
前記端末の現在地と前記位置情報との比較結果、および現在時刻と前記時間情報との比較結果に基づいて前記タスクの実行可能性を判断する段階、および
前記タスクの実行可能性に応じて前記タスクに対する通知を提供する段階
を含む、ＴｏＤｏ通知方法。
【請求項１２】
ＴｏＤｏ通知システムであって、
ユーザのＴｏＤｏリストに含まれる各タスクに対し、前記タスクと関連する場所の位置情報と時間情報を取得する情報取得部、
当該ＴｏＤｏ通知システムの現在地と前記位置情報との比較結果、および現在時刻と前記時間情報との比較結果に基づいて前記タスクの実行可能性を判断する判断部、および
前記タスクの実行可能性に応じて前記タスクに対する通知を提供する通知提供部
を備える、ＴｏＤｏ通知システム。
【請求項１３】
前記情報取得部は、
前記タスクとして記録された文章に基づき、前記タスクと関連する場所を特定し、
当該ＴｏＤｏ通知システムの現在地を基準に、前記特定した場所に対応する位置情報を取得し、
前記特定された場所の営業時間、休憩時間、および混雑時間のうちの少なくとも１つを含む時間情報を取得する、
請求項１２に記載のＴｏＤｏ通知システム。
【請求項１４】
前記情報取得部は、
前記タスクと関連する場所に対し、事前に定められた営業時間を取得し、
前記判断部は、
前記現在地が前記タスクと関連する場所から所定の半径以内である場合、前記現在時刻が前記営業時間に該当すれば前記タスクの実行可能性があると判断し、前記現在時刻が前記営業時間に該当しなければ前記タスクの実行可能性がないと判断する、
請求項１２に記載のＴｏＤｏ通知システム。
【請求項１５】
前記情報取得部は、
前記タスクと関連する場所に対し、事前に定められた休憩時間と混雑時間のうちの少なくとも一方を含む無効時間を取得し、
前記判断部は、
前記現在地が前記タスクと関連する場所から所定の半径以内である場合、前記現在時刻が前記無効時間に該当しなければ前記タスクの実行可能性があると判断し、前記現在時刻が前記無効時間に該当しなければ前記タスクの実行可能性がないと判断する、
請求項１２に記載のＴｏＤｏ通知システム。
【請求項１６】
前記情報取得部は、
前記ユーザと関連するビックデータから学習したユーザ行動パターンに関する情報を取得し、
前記判断部は、
前記現在地が前記タスクと関連する場所から所定の半径以内である場合、前記現在時刻と前記時間情報との比較結果と共に、前記ユーザ行動パターンに関する情報を考慮して前記タスクの実行可能性を判断する、
請求項１２に記載のＴｏＤｏ通知システム。
【請求項１７】
前記情報取得部は、
前記ユーザのスケジュール情報と、前記現在地または前記現在時刻を基準とした天気情報または社会的イシューと、前記ユーザの移動速度とのうちの少なくとも１つの追加情報を取得し、
前記判断部は、
前記現在地が前記タスクと関連する場所から所定の半径以内である場合、前記現在時刻と前記時間情報との比較結果と共に、前記追加情報を考慮して前記タスクの実行可能性を判断する、
請求項１２に記載のＴｏＤｏ通知システム。
【請求項１８】
前記通知提供部は、
前記タスクの実行可能性があると判断された場合には前記タスクに対する通知を出力し、前記タスクの実行可能性がないと判断された場合には前記タスクに対する通知をスキップする、
請求項１２乃至１７のいずれか一項に記載のＴｏＤｏ通知システム。
【請求項１９】
前記通知提供部は、
前記タスクの実行可能性があると判断される場合の通知と、前記タスクの実行可能性がないと判断される場合の通知とを区分して出力する、
請求項１２乃至１７のいずれか一項に記載のＴｏＤｏ通知システム。
【請求項２０】
前記通知提供部は、
前記タスクに対する通知と共に、前記場所と関連する広告、検索結果、特典情報、地図のうちの少なくとも１つを含むコンテンツを提供する、
請求項１２乃至１９のいずれか一項に記載のＴｏＤｏ通知システム。
【手続補正２】
【補正対象書類名】明細書
【補正対象項目名】発明の名称
【補正方法】変更
【補正の内容】
【発明の名称】ユーザのＴｏＤｏリストに対する通知を提供する方法、コンピュータプログラムおよびシステム
【手続補正３】
【補正対象書類名】明細書
【補正対象項目名】００１０
【補正方法】変更
【補正の内容】
【００１０】
コンピュータにより実現される端末に、ユーザのＴｏＤｏリストに含まれる各タスクに対し、前記タスクと関連する場所の位置情報と時間情報とを取得する取得段階、前記端末の現在地と前記位置情報との比較結果、および現在時刻と前記時間情報との比較結果に基づいて前記タスクの実行可能性を判断する判断段階、および前記タスクの実行可能性に応じて前記タスクに対する通知を提供する提供段階を実行させる、コンピュータプログラムを提供する。
【手続補正４】
【補正対象書類名】明細書
【補正対象項目名】００１１
【補正方法】変更
【補正の内容】
【００１１】
一側面によると、前記取得段階は、前記タスクとして記録された文章に基づき、前記タスクと関連する場所を特定する段階、前記端末の現在地を基準とし、前記特定された場所に対応する位置情報を取得する段階、および前記特定された場所の営業時間、休憩時間、および混雑時間のうちの少なくとも１つを含む時間情報を取得する段階を含んでよい。
【手続補正５】
【補正対象書類名】明細書
【補正対象項目名】００１６
【補正方法】変更
【補正の内容】
【００１６】
また他の側面によると、前記ユーザのスケジュール情報と、前記現在地または前記現在時刻を基準とした天気情報または社会的イシューと、前記ユーザの移動速度とのうちの少なくとも１つの追加情報を取得する段階をさらに含み、前記判断段階は、前記現在地が前記タスクと関連する場所から所定の半径以内である場合、前記現在時刻と前記時間情報との比較結果と共に、前記追加情報を考慮して前記タスクの実行可能性を判断してよい。
【手続補正６】
【補正対象書類名】明細書
【補正対象項目名】００１７
【補正方法】変更
【補正の内容】
【００１７】
また他の側面によると、前記提供段階は、前記タスクの実行可能性があると判断された場合には前記タスクに対する通知を出力し、前記タスクの実行可能性がないと判断された場合には前記タスクに対する通知をスキップしてよい。
【手続補正７】
【補正対象書類名】明細書
【補正対象項目名】００２０
【補正方法】変更
【補正の内容】
【００２０】
コンピュータにより実現される端末によって実行されるＴｏＤｏ通知方法であって、ユーザのＴｏＤｏリストに含まれる各タスクに対し、前記タスクと関連する場所の位置情報と時間情報を取得する段階、前記端末の現在地と前記位置情報との比較結果、および現在時刻と前記時間情報との比較結果に基づいて前記タスクの実行可能性を判断する段階、および前記タスクの実行可能性に応じて前記タスクに対する通知を提供する段階を含む、ＴｏＤｏ通知方法を提供する。
【手続補正８】
【補正対象書類名】明細書
【補正対象項目名】００２１
【補正方法】変更
【補正の内容】
【００２１】
ＴｏＤｏ通知システムであって、ユーザのＴｏＤｏリストに含まれる各タスクに対し、前記タスクと関連する場所の位置情報と時間情報を取得する情報取得部、当該ＴｏＤｏ通知システムの現在地と前記位置情報との比較結果、および現在時刻と前記時間情報との比較結果に基づいて前記タスクの実行可能性を判断する判断部、および前記タスクの実行可能性に応じて前記タスクに対する通知を提供する通知提供部を備える、ＴｏＤｏ通知システムを提供する。